(57)【要約】【課題】  着脱が一層簡単に、短時間で行え、しかも、確実に再利用できるようにした飾りカバーを提供することを目的とする。【解決手段】  物品支持軸２０が挿通される挿通孔１９３が形成された磁性体からなる孔カバー１９を覆う形状に形成された本体２と、当該本体２に担持させた永久磁石３とを備える。飾りカバー１を孔カバー１９に接近させるという簡単な作業で、瞬間的に磁気吸着により飾りカバー１を孔カバー１９に取付けることができ、ドライバや指の爪を掛けて引き剥がすことにより瞬間的に飾りカバー１を孔カバー１９から分解できる。着脱に際して飾りカバー１を弾性変形させないので、破損するおそれがなく、確実に再利用できる。【選択図】  図１
2005087593.tif 000002
【特許請求の範囲】
【請求項１】
物品支持軸が挿通される挿通孔が形成された磁性体からなる孔カバーを覆う形状に形成された本体と、当該本体に担持させた磁性体と、を備え、上記孔カバーと本体とが磁気吸着されることを特徴とする飾りカバー。
【請求項２】
上記本体とは別体に形成された磁石が当該本体に貼着されていることを特徴とする請求項１に記載の飾りカバー。
【請求項３】
上記磁性体が上記本体を構成する高分子組成物に配合されていることを特徴とする請求項１に記載の飾りカバー。
【請求項４】
上記本体の裏面に、上記孔カバーに対する当該飾りカバーの位置を合わせるための突起又は凹部が設けられていることを特徴とする請求項１ないし３のいずれか１項に記載の飾りカバー。
【発明の詳細な説明】
【技術分野】
【０００１】
本発明は陳列棚の棚受軸、ハンガーバーなどの物品支持軸が挿入される孔カバーを覆い隠す飾りカバーに関する。
【背景技術】
【０００２】
例えば、支柱に上下複数段に軸部材支持具を固定し、各軸部材支持具に棚受軸などの軸部材を支持させる物品支持構造が特許文献１に記載されている。
【０００３】
特許文献１に記載された物品支持構造によれば、設置後に軸部材及び棚の高さを変更するためには、化粧材を外し、軸部材支持具を支柱から分解し、別の高さで支柱に付け直すという作業が必要であり、ユーザが簡単に棚の高さを変更できないという問題がある。
【０００４】
この問題を解決するため、本発明者は、設置する棚の上下段数よりも多数の軸部材支持具を支柱に上下に所定の間隔を置いて支持させ、この支柱の表側に壁紙、クロス、ガラス板、鏡板などの化粧材を配置し、当該化粧材の各軸部材支持具に対応する高さに形成した開口部を表側から孔カバーで覆い、選択された軸部材支持具には対応する孔カバーを通して軸部材を挿入し、その他の孔カバーは着脱が容易な飾りカバーで表側から覆うという構成を採用した。
【０００５】
図８の側面図に示すように、この飾りカバー１０１は孔カバー１１０を表側から覆う本体１０２と、この裏面から突出させた返り１０４を有する位置決め片１０３とを備え、この位置決め片１０３を弾性変形させて返り１０４を孔カバー１１０の本体１１１に形成された挿入孔１１２から当該孔カバー１１０の裏面側まで押し込み、位置決め片１０３の弾性復元により孔カバー１１０の本体１１１の裏面側で開いた返り１０４を孔カバー１１０の軸部材挿通孔１１２の縁に係合させることにより、飾りカバー１０１を孔カバー１１０に固定する。
【特許文献１】特許第２９１１８３１号公報
【発明の開示】
【発明が解決しようとする課題】
【０００６】
ところが、この飾りカバー１０１を孔カバー１１０から取外すときには、ドライバの先を飾りカバー１０１と孔カバー１１０との間に差し込んで位置決め片１０３を弾性変形させる必要があり、作業性が悪いという問題がある。
【０００７】
又、位置決め片１０３を弾性変形させる際に当該位置決め片１０３が折損し、再利用できなくなることが少なくない。
【０００８】
そこで、本発明は着脱が一層簡単に、短時間で行え、しかも、確実に再利用できるようにした飾りカバーを提供することを目的とする。
【課題を解決するための手段】
【０００９】
本発明に係る飾りカバーは、この目的を達成するため、物品支持軸が挿通される挿通孔が形成された磁性体からなる孔カバーを覆う形状に形成された本体と、当該本体に担持させた磁性体と、を備え、上記孔カバーと本体とが磁気吸着されるることを特徴とするものである。
【００１０】
この構成によれば、飾りカバーを孔カバーに重ねると磁気吸着により飾りカバーが孔カバーに固定され、この磁気吸着力に抗して飾りカバーを引き剥がせば飾りカバーを孔カバーから外せるので、着脱に際して位置決め片を弾性変形させる必要がなく、一層簡単に、かつ短時間で飾りカバーの着脱ができる。
【００１１】
又、この構成によれば、着脱に際して弾性変形させる部分がないので、着脱に際して各部分が折損するおそれがなく、確実に再利用することができる。
【００１２】
ところで、本発明において、上記孔カバーは磁性体、即ち、磁気に対して吸着する性質を有するもので形成されていればよく、例えば純鉄、ケイ素鉄、高透磁立合金、高磁気飽和値合金、定透磁立合金、整磁合金、角型履歴磁性合金などで形成されているものであればよく、これらの他に永久磁石で形成されているものであってもよい。
【００１３】
又、上記孔カバーはこれらの磁性材料の微粉末を配合したゴムを含む高分子化合物で形成されているものであってもよい。
【００１４】
更に、上記孔カバーには、棚受軸、パイプハンガーなどの物品支持軸が挿通される挿通孔が形成されるが、この挿通孔の開口形状は特に限定されず、例えば長方形、正方形、六角形、八角形、その他の多角形、円形、楕円形、小判形など任意の形状に形成すればよい。
【００１５】
さて、本発明の飾りカバーの本体は、上記孔カバーを覆う形状に形成されるが、この形状としては、上記孔カバーを表側のみから覆う形状と、裏面に孔カバーの本体の一部又は全部を収納する凹部が形成され、上記孔カバーの表側面とこれに連続する周面とを覆う形状とが含まれる。
【００１６】
上記孔カバーの表側面のみを覆う形状には、孔カバーの表側面の一部を覆う形状、孔カバーの表側面の全部を覆う形状、孔カバーの表側面の一部又は全部と孔カバーの周囲の部分を表側から覆う形状が含まれる。
【００１７】
又、孔カバーの表側面とこれに連続する周面とを覆う形状には、孔カバーの表側面の一部又と周面の一部を覆う形状、孔カバーの表側面の一部と周面の全周を覆う形状、孔カバーの表側面の全部と周面の一部を覆う形状、孔カバーの表側面の全部と周面の全周を覆う形状が含まれる。
【００１８】
いずれの形状にしても、本発明の本体は上記孔カバーの挿通孔を体裁よく隠すことができるものであることが好ましく、例えば縁取り、形押し、彫刻、めっき、塗装、ヘアライン加工、転圧加工などにより任意の絵模様、文字模様などの平面模様や、彫刻模様、浮彫模様などの立体模様を付加するか否かは自由である。
【００１９】
もっとも、本発明の本体には、例えば孔カバーから本発明を引き剥がすときに指先やドライバの先を掛ける凹部を形成することが好ましい。
【００２０】
又、孔カバーを設ける仕上材と同じ壁紙やクロスなどの化粧材を貼着したり、仕上材と同じガラスや鏡で本体を構成することにより、本体を目立たなくすることも可能である。
【００２１】
上記本体の材質は、特に限定されず、例えば金属、合成樹脂、ガラスなどを用いることができ、この金属には、磁性体の他に非磁性体も含まれる。又、上記本体を構成する合成樹脂は、特に限定されず、熱可塑性樹脂であっても熱硬化性樹脂であってもよく、又、後述するように、磁石材料の微粉末を配合したものであってもよい。
【００２２】
本発明の本体に担持させる磁性体としては、上記孔カバーを構成する磁性体を用いればよいが、上記孔カバーに磁気吸着できるものであることが必要であり、上記孔カバーが永久磁石あるいは永久磁石の微粉末を配合した合成樹脂で構成されている場合には、残留磁気、抗磁力、エネルギー積が小さい軟磁性材料を用いても、これらが大きい磁石（永久磁石）を用いてもよい。又、上記孔カバーが軟磁性材料あるいはその微粉末を配合した合成樹脂で構成されている場合には、上記本体に永久磁石を担持させることが必要である。
【００２３】
この永久磁石としては、炭素鋼、ＫＳ鋼、ＭＴ鋼などの焼入磁石鋼や、ケスター合金、ＭＫ合金、アルニコ５、ＮＫＳ合金などの析出硬化型合金や、ＯＰ磁石などの燒結磁石が用いられる。
【００２４】
上記磁性体、即ち、軟磁性材料又は永久磁石は、上記本体と別体に形成して例えば接着、融着、溶着、圧着、燒結などの方法により本体に担持させてもよく、又、本体を構成する燒結金属体や合成樹脂（高分子化合物）に組成物として配合することにより担持させてもよい。
【００２５】
ところで、本発明においては、必要に応じて、上記本体の裏面に、上記孔カバーに対する当該飾りカバーの位置を合わせる位置決め突起又は凹部が設けられていることを特徴とする構成を採用することができる。
【００２６】
ここで、位置決め用突起の例としては、上記孔カバーの挿通孔に突入して内接する突起があり、位置決め用凹部の例としては、本体の裏面に形成された上記孔カバーと同じ形状及び大きさを有する凹部がある。
【００２７】
この構成によれば、位置決め突起を上記孔カバーの挿通孔に差し込むことにより、当該孔カバーに対して飾りカバーを位置決めして磁気吸着させることができ、孔カバーに対する飾りカバーの位置ずれにより物品支持装置の見栄えが損なわれることを確実に防止することができる。
【００２８】
なお、この位置ずれの中には、孔カバーの面方向への位置ずれの他に、上記挿通孔周りの位相ずれが含まれる。
【発明を実施するための最良の形態】
【００２９】
以下、本発明を実施するための最良の形態に係る飾りカバーを図面に基づいて具体的に説明する。
【００３０】
図１は本発明の一実施例に係る飾りカバーの正面図であり、図２はその平面図である。これら図１と図２に示すように、この飾りカバー１は、円板形状に形成された本体２と、その裏面に例えば左右に適当な間隔を置いて固定された１対の薄円板形状に形成された磁石３と、当該本体２の裏面中央部に突設された丸軸若しくは楕円状の位置決め突起４とを備える。
【００３１】
上記本体２の表面は、必要に応じて、めっき、塗装などによる表面処理、彫刻などを施したり、後述する化粧材を貼付けたりする。
【００３２】
上記磁石３は永久磁石からなり、例えば接着剤を用いて上記本体２に接着されている。
【００３３】
上記位置決め用突起４の形状は、これを後述する孔カバー１９の軸部材挿通孔１９３に突入させることにより、当該孔カバー１９に対して飾りカバー１を位置決めできる形状に形成してある。
【００３４】
この実施例では、この突起４を丸軸状に形成し、上記カバー１９に対して例えば左右方向にのみ位置決めし、上下方向の位置は手で合わせるようにしている。この実施例の飾りカバー１は円形であるので、回転方向に対しての位置合わせの必要はなく、手による位置合わせも簡単に行える。
【００３５】
尚、上記孔カバー１９の軸部材挿通孔１９３が縦長の角長孔に形成されているので、上記突起４をこの角長孔と同じ高さと幅とを有する縦長の角軸に形成し、当該孔カバー１９に対してその面方向、即ち、上下方向及び左右方向に位置決めできると共に、当該挿通孔１９３の周りの回転方向に位置決めされるように構成することもできる。
【００３６】
ところで、図３はこの飾りカバー１を用いる物品支持装置の分解斜視図であり、この図３に示す物品支持装置１１は、支柱１２の前部に嵌め込んだベース形材１３を当該支柱１２に例えばビスにより固定し、このベース形材１３に上下多段に軸部材固定具１４を固定する構成を備える。
【００３７】
なお、ここでは、軸部材固定具１４としては本出願人が別に出願した（特願２００３−３２０４７１号）ものを用いているが、特許文献１に記載されているものを用いてもよい。
【００３８】
又、この物品支持装置１１は、上記支柱１２の左右両側に固定された下地骨材１５を備え、上記支柱１２及び軸部材固定具１４を表側から覆うパネル１６の左右両側部がこれら左右の下地骨材１５に例えばビス止めされる。又、このパネル１６の左右両側には上記下地骨材１５に固定される例えば石膏ボードからなる下地ボード１７が配置され、これらパネル１６及び下地ボード１７の前面に図示しない壁紙、クロス、ガラス板、鏡などの化粧材が設けられる。
【００３９】
上記パネル１６及び化粧材には、各軸部材固定具１４に対応する位置に例えば円形の開口部１７が形成されている。この開口部１７には、後述する孔カバー１９の各ピン１９２が挿通されるピン孔１８が設けられている。
【００４０】
孔カバー１９は、円板形状の鉄板からなる本体１９１と、この本体１９１の裏面に植設された２本のピン１９２とを備え、上記本体１９１の中央部に縦長の角長孔からなる挿通孔１９３が形成されている。
【００４１】
この孔カバー１９の各ピン１９２を上記パネル１６の開口部１７に挿通し、上記軸部材固定具１４の左右両側面に形成したピン孔１４１に圧入することにより、孔カバー１９が軸部材固定具１４に固定される。
【００４２】
予め選択された高さの孔カバー１９の挿通孔１９２には、前方から例えば棚受軸からなる軸部材２０が前方から軸部材２０の基端部２１を孔カバー１９の挿通孔１９３から軸部材固定具１４の軸孔１４２に差し込まれ、その他の高さの孔カバー１９は上記飾りカバー１で覆われる。
【００４３】
即ち、上記飾りカバー１をその位置決め突起４が孔カバー１９の挿通孔１９２に嵌まり込むように差込むと、飾りカバー１の磁石が孔カバー１９の本体に吸着し、飾りカバー１が正面から見て孔カバー１９と重なり合う位置に固定される。
【００４４】
上記孔カバー１９とこれに磁気吸着させた飾りカバー１の本体２との間には磁石３の厚さ分の隙間ができるので、この隙間に例えばドライバの先を差込んで起こしたり、指の爪を掛けて引いたりすることにより、簡単に、かつ短時間で飾りカバー１を孔カバー１９から引き剥がすことができる。
【００４５】
この飾りカバー１の引き剥がしに際しては、飾りカバー１が弾性変形することはないので、無理な力が加わって飾りカバー１破損するおそれはなく、確実に飾りカバー１を再利用することができる。
【００４６】
図４は本発明の他の実施例に係る飾りカバーの正面図であり、図５はその横断平面図である。この飾りカバー１は、正面から見て４隅を隅取りされた正方形に形成されている。この飾りカバー１は、上記した円形の孔カバー１９にも適用できるが、正面から見て４隅を隅取りされた正方形のものに適用するとよい。
【００４７】
正方形の飾りカバー１の場合、取付角度が斜めになると見栄えが悪くなる。そこで、この飾りカバー１は、上記孔カバー１９に形成された軸部材挿通孔１９３の縦長の角長孔と同じ高さと幅を有する縦長の角軸からなる突起４を形成している。飾りカバー１の突起４を軸部材挿通孔１９３に挿入することで、当該孔カバー１９に対してその面方向、即ち、上下方向及び左右方向に位置決めできると共に、当該挿通孔１９３の周りの回転方向に位置決めされる。
【００４８】
この実施例のその他の構成、作用ないし効果は上記本発明の一実施例におけるそれらと同様である。
【００４９】
図６は本発明の更に他の実施例に係る飾りカバーの正面図であり、図７はその横断平面図である。この飾りカバー１は、本体２の裏面に、上記孔カバー１９の本体１９１と同じ形状及び大きさを有する凹部５を備えている。又、本体２は、永久磁石の微粉末組成物を配合した合成樹脂（磁気プラスチック）からなり、必要に応じて、例えばめっきによりに表面処理される。
【００５０】
この飾りカバー１は、パネル１６及び化粧材に取付けた孔カバー１９に表側から被せるだけで孔カバー１９に対して飾りカバー１を位置決めして磁気吸着により固定することができる。
【００５１】
又、この飾りカバー１は正面から見て４隅を隅取りされた正方形に形成され、各辺の中央部には裏面及び外周面に開放された切欠き６が形成され、この切欠き６に例えばドライバの先や指の爪を差込んで孔カバー１９から引き剥がす。
【００５２】
この実施例のその他の構成、作用ないし効果は上記本発明の一実施例におけるそれらと同様である。
【００５３】
なお、以上では、孔カバー１９の軸部材挿通孔１９３が横向きに開口している場合に用いられる飾りカバー１を説明しているが、本発明の飾りカバー１はこれに限らず、床などに設けた軸部材挿通孔１９３の開口方向が上向きのもの、又は天井などに設けた下向きの孔カバー１９に着脱されるものにも適用される。
【図面の簡単な説明】
【００５４】
【図１】本発明の一実施例の正面図である。
【図２】本発明の一実施例の平面図である。
【図３】本発明の使用例の分解斜視図である。
【図４】本発明の他の実施例の正面図である。
【図５】本発明の他の実施例の横断平面図である。
【図６】本発明の更に他の実施例の正面図である。
【図７】本発明の更に他の実施例の横断平面図である。
【図８】本発明が解決しようとする課題を説明するための縦断側面図である。
【符号の説明】
【００５５】
１  飾りカバー
２  本体
３  磁石
４  位置決め用突起
５  位置決め用凹部
【図１】
2005087593.tif 000003
【図２】
2005087593.tif 000004
【図３】
2005087593.tif 000005
【図４】
2005087593.tif 000006
【図５】
2005087593.tif 000007
【図６】
2005087593.tif 000008
【図７】
2005087593.tif 000009
【図８】
2005087593.tif 000010